(57)【要約】  スクリーンに表示される映像と展示物とを鮮明に観察することができる表示装置を提供する。  同期制御部（３１）が、スクリーン（２１）を散乱状態に切り替えている場合は、照明装置（４１）を消灯させる照明制御情報を照明装置（４１）に出力し、スクリーン（２１）にプロジェクタ（１１）から映像光を投射させる投射制御情報をプロジェクタ（１１）に出力する。スクリーン（２１）を透過状態に切り替えている場合は、プロジェクタ（１１）から映像光の投射を停止させる投射制御情報をプロジェクタ（１１）に出力し、照明装置（４１）を点灯させる照明制御情報を照明装置（４１）に出力している。
2014109026.tif 000002
【特許請求の範囲】
【請求項１】
第１の面および前記第１の面の裏面である第２の面を有し、可視光に対し透過状態と散乱状態を切り替え可能なスクリーンと、
前記スクリーンの透過状態および散乱状態を切り替える制御手段と、有し、
前記制御手段は、
前記スクリーンを前記散乱状態に切り替えている場合は、前記第２の面側の照明の光強度を減少させる照明制御情報を出力し、前記スクリーンを前記散乱状態に切り替えている任意の期間に、前記スクリーンに第１の映像を投射させる投射制御情報を出力し、
前記スクリーンを前記透過状態に切り替えている場合は、前記第１の映像の投射を停止させる前記投射制御情報を出力し、前記スクリーンを前記透過状態に切り替えている任意の期間に、前記第２の面側の照明の光強度を増加させる前記照明制御情報を出力する、
ことを特徴とする表示装置。
【請求項２】
第１の面および前記第１の面の裏面である第２の面を有し、可視光に対し透過状態と散乱状態を切り替え可能なスクリーンと、
前記スクリーンの透過状態および散乱状態を切り替える制御手段と、有し、
前記制御手段は、
前記スクリーンを前記散乱状態に切り替えている場合は、前記第２の面側の表示手段に第２の映像の光強度を減少させる表示制御情報を出力し、前記スクリーンを前記散乱状態に切り替えている任意の期間に、前記スクリーンに第１の映像を投射させる投射制御情報を出力し、
前記スクリーンを前記透過状態に切り替えている場合は、前記第１の映像の投射を停止させる前記投射制御情報を出力し、前記スクリーンを前記透過状態に切り替えている任意の期間に、前記表示手段に前記第２の映像の光強度を増加させる前記表示制御情報を出力する、
ことを特徴とする表示装置。
【請求項３】
前記制御手段は、前記スクリーンの前記透過状態と前記散乱状態とを所定の周期で交互に切り替えることを特徴とする請求項１または２に記載の表示装置。
【請求項４】
前記制御手段は、前記スクリーンの前記所定の周期の１周期における前記透過状態と前記散乱状態との割合を変化させることを特徴とする請求項３に記載の表示装置。
【請求項５】
前記制御手段は、前記スクリーンの前記所定の周期の１周期における前記透過状態と前記散乱状態との割合を、前記透過状態の割合を徐々に増加させるとともに前記散乱状態の割合を徐々に減少させ、前記透過状態の割合を徐々に減少させるとともに前記散乱状態の割合を徐々に増加させるように変化させることを特徴とする請求項４に記載の表示装置。
【請求項６】
前記制御手段は、前記投射制御情報に前記第１の映像の光強度を変化させる情報を含ませることを特徴とする請求項１乃至５のうちいずれか一項に記載の表示装置。
【請求項７】
前記制御手段は、前記第１の映像の光強度を徐々に増加させるとともに前記照明または前記第２の映像の光強度を徐々に減少させ、前記第１の映像の光強度を徐々に減少させるとともに前記照明または前記第２の映像の光強度を徐々に増加させることを特徴とする請求項６に記載の表示装置。
【請求項８】
第１の面および前記第１の面の裏面である第２の面を有し、可視光に対し透過状態と散乱状態を切り替え可能なスクリーンを透過状態および散乱状態を切り替える制御工程を含み、
前記制御工程は、
前記スクリーンを前記散乱状態に切り替えている場合は、前記第２の面側の照明の光強度を減少させる照明制御情報を出力し、前記スクリーンを前記散乱状態に切り替えている任意の期間に、前記スクリーンに第１の映像を投射させる投射制御情報を出力し、
前記スクリーンを前記透過状態に切り替えている場合は、前記第１の映像の投射を停止させる前記投射制御情報を出力し、前記スクリーンを前記透過状態に切り替えている任意の期間に、前記第２の面側の照明の光強度を増加させる前記照明制御情報を出力する、
ことを特徴とする表示方法。
【請求項９】
第１の面および前記第１の面の裏面である第２の面を有し、可視光に対し透過状態と散乱状態を切り替え可能なスクリーンを透過状態および散乱状態を切り替える制御工程を含み、
前記制御工程は、
前記スクリーンを前記散乱状態に切り替えている場合は、前記第２の面側の表示手段に第２の映像の光強度を減少させる表示制御情報を出力し、前記スクリーンを前記散乱状態に切り替えている任意の期間に、前記スクリーンに第１の映像を投射させる投射制御情報を出力し、
前記スクリーンを前記透過状態に切り替えている場合は、前記第１の映像の投射を停止させる前記投射制御情報を出力し、前記スクリーンを前記透過状態に切り替えている任意の期間に、前記表示手段に前記第２の映像の光強度を増加させる前記表示制御情報を出力する、
ことを特徴とする表示方法。
【請求項１０】
請求項８に記載の表示方法を、コンピュータにより実行させることを特徴とする表示プログラム。
【請求項１１】
請求項９に記載の表示方法を、コンピュータにより実行させることを特徴とする表示プログラム。
【請求項１２】
請求項１０に記載の表示プログラムを格納したことを特徴とするコンピュータ読み取り可能な記録媒体。
【請求項１３】
請求項１１に記載の表示プログラムを格納したことを特徴とするコンピュータ読み取り可能な記録媒体。
【発明の詳細な説明】
【技術分野】
【０００１】
本発明は、映像を表示する表示装置に関する。
【背景技術】
【０００２】
従来、ショーウインドウ、ショーケース、ショールーム等の展示装置において、展示物に関する情報等各種情報を観察者に与える場合は、パネルや表示装置等を別に設置することによって行っており、展示物と同時に当該情報を表示させることができなかった。【０００３】
このような問題に対して、例えば特許文献１には、ショーウインドウ、ショーケースなどのカバーガラスにホログラムスクリーンを設け、展示物の展示と同時に情報表示を行うことが記載されている。【０００４】
また、特許文献２には、ショーケースの前面ガラスに半透明なスクリーンシートを設置し、これに情報を投影表示することが記載されている。
【先行技術文献】
【特許文献】
【０００５】
【特許文献１】特開平９−２８５３０号公報
【特許文献２】特開２０１２−３２６１３号公報
【発明の概要】
【発明が解決しようとする課題】
【０００６】
特許文献１に記載されたホログラムを用いた情報表示展示装置の場合、ホログラムスクリーンに対してある決められた位置から映像の投影を行わなければならず、投射位置の自由度がない。また、スクリーンによる回折角度も設計時に決められ、観察される光の出射角度範囲が狭く、観察者の視点位置が制限されるといった問題があった。【０００７】
また、ホログラムスクリーンはスクリーン内部の屈折率分布などを利用して回折現象を発生させているので、光の取り出し効率が悪い。また、同様の理由によりショーケース内に設置された展示物からの光の影響を受け、鮮明さが損なわれる。そして、ホログラムスクリーンは非常に高価であるといった問題があった。【０００８】
特許文献２に記載されたショーケースの場合、半透明スクリーン上の映像表示領域の後方にある実体展示物が見えなくなる。また、視点を変えると、スクリーン上の映像表示領域と実体展示物の位置関係が変わるために、映像表示領域と実体展示物が重なり合ったり、間が開いたりするために、最適な（即ち、制作者が意図する構図が観察できる）視点位置が固定され、複数の観察者が同時に観察するような用途に向かない。また、スクリーン上の映像表示領域には、常時スクリーン後方から実体展示物の発する光が当たっており、表示映像のコントラストが常に悪いといった問題があった。【０００９】
そこで、本発明は、上述した問題に鑑み、例えば、スクリーンに表示される映像と展示物とを鮮明に観察することができる表示装置を提供することを目的とする。
【課題を解決するための手段】
【００１０】
上記課題を解決するために、請求項１に記載された発明は、第１の面および前記第１の面の裏面である第２の面を有し、可視光に対し透過状態と散乱状態を切り替え可能なスクリーンと、前記スクリーンの透過状態および散乱状態を切り替える制御手段と、有し、前記制御手段は、前記スクリーンを前記散乱状態に切り替えている場合は、前記第２の面側の照明の光強度を減少させる照明制御情報を出力し、前記スクリーンを前記散乱状態に切り替えている任意の期間に、前記スクリーンに第１の映像を投射させる投射制御情報を出力し、前記スクリーンを前記透過状態に切り替えている場合は、前記第１の映像の投射を停止させる前記投射制御情報を出力し、前記スクリーンを前記透過状態に切り替えている任意の期間に、前記第２の面側の照明の光強度を増加させる前記照明制御情報を出力する、ことを特徴とする表示装置である。【００１１】
請求項２に記載された発明は、第１の面および前記第１の面の裏面である第２の面を有し、可視光に対し透過状態と散乱状態を切り替え可能なスクリーンと、前記スクリーンの透過状態および散乱状態を切り替える制御手段と、有し、前記制御手段は、前記スクリーンを前記散乱状態に切り替えている場合は、前記第２の面側の表示手段に第２の映像の光強度を減少させる表示制御情報を出力し、前記スクリーンを前記散乱状態に切り替えている任意の期間に、前記スクリーンに第１の映像を投射させる投射制御情報を出力し、前記スクリーンを前記透過状態に切り替えている場合は、前記第１の映像の投射を停止させる前記投射制御情報を出力し、前記スクリーンを前記透過状態に切り替えている任意の期間に、前記表示手段に前記第２の映像の光強度を増加させる前記表示制御情報を出力する、ことを特徴とする表示装置である。【００１２】
請求項８に記載された発明は、第１の面および前記第１の面の裏面である第２の面を有し、可視光に対し透過状態と散乱状態を切り替え可能なスクリーンを透過状態および散乱状態を切り替える制御工程を含み、前記制御工程は、前記スクリーンを前記散乱状態に切り替えている場合は、前記第２の面側の照明の光強度を減少させる照明制御情報を出力し、前記スクリーンを前記散乱状態に切り替えている任意の期間に、前記スクリーンに第１の映像を投射させる投射制御情報を出力し、前記スクリーンを前記透過状態に切り替えている場合は、前記第１の映像の投射を停止させる前記投射制御情報を出力し、前記スクリーンを前記透過状態に切り替えている任意の期間に、前記第２の面側の照明の光強度を増加させる前記照明制御情報を出力する、ことを特徴とする表示方法である。【００１３】
請求項９に記載された発明は、第１の面および前記第１の面の裏面である第２の面を有し、可視光に対し透過状態と散乱状態を切り替え可能なスクリーンを透過状態および散乱状態を切り替える制御工程を含み、前記制御工程は、前記スクリーンを前記散乱状態に切り替えている場合は、前記第２の面側の表示手段に第２の映像の光強度を減少させる表示制御情報を出力し、前記スクリーンを前記散乱状態に切り替えている任意の期間に、前記スクリーンに第１の映像を投射させる投射制御情報を出力し、前記スクリーンを前記透過状態に切り替えている場合は、前記第１の映像の投射を停止させる前記投射制御情報を出力し、前記スクリーンを前記透過状態に切り替えている任意の期間に、前記表示手段に前記第２の映像の光強度を増加させる前記表示制御情報を出力する、ことを特徴とする表示方法である。【００１４】
請求項１０に記載された発明は、請求項８に記載の表示方法を、コンピュータにより実行させることを特徴とする表示プログラムである。【００１５】
請求項１１に記載された発明は、請求項９に記載の表示方法を、コンピュータにより実行させることを特徴とする表示プログラムである。【００１６】
請求項１２に記載された発明は、請求項１０に記載の表示プログラムを格納したことを特徴とするコンピュータ読み取り可能な記録媒体である。【００１７】
請求項１３に記載された発明は、請求項１１に記載の表示プログラムを格納したことを特徴とするコンピュータ読み取り可能な記録媒体である。
【図面の簡単な説明】
【００１８】
【図１】本発明の第１の実施例にかかる表示装置を備えた展示装置の概略構成図である。
【図２】図１に示されたスクリーンの模式的な断面図である。
【図３】図１に示されたスクリーンの状態と調光部の光線の直線透過率とプロジェクタから投射される映像光強度のタイミングチャートである。
【図４】図１に示された表示装置の動作を示したフローチャートである。
【図５】図１に示されたスクリーンの散乱状態と透過状態のデューティを変化させることでクロスフェードを行う説明図である。
【図６】図１に示されたプロジェクタと照明装置の光強度を変化させることでクロスフェードを行う説明図である。
【図７】本発明の第２の実施例にかかる表示装置の概略構成図である。
【図８】図７に示されたスクリーンの状態と調光部の光線の直線透過率とプロジェクタから投射される映像光強度のタイミングチャートである。
【図９】図７に示されたスクリーンと不透明ディスプレイに表示する映像ソースの送出と表示の説明図である。
【発明を実施するための形態】
【００１９】
以下、本発明の一実施形態にかかる表示装置を説明する。本発明の一実施形態にかかる表示装置は、第１の面および第１の面の裏面である第２の面を有し、可視光に対し透過状態と散乱状態を切り替え可能なスクリーンと、そのスクリーンの透過状態および散乱状態を切り替える制御手段と、を有している。そして、制御手段は、スクリーンを散乱状態に切り替えている場合は、第２の面側の照明の光強度を減少させる照明制御情報を出力し、スクリーンを散乱状態に切り替えている任意の期間に、スクリーンに第１の映像を投射させる投射制御情報を出力し、スクリーンを透過状態に切り替えている場合は、第１の映像の投射を停止させる投射制御情報を出力し、スクリーンを透過状態に切り替えている任意の期間に、第２の面側の照明の光強度を増加させる照明制御情報を出力している。このようにすることにより、スクリーンが散乱状態の場合には、映像を表示して展示物等を照明するための照明の光強度が減少するので、表示映像のコントラストを非常に高くすることができ、スクリーンが透過状態の場合には、照明の光強度を増加させて展示物等を観察させることができる。そのため、スクリーンに表示される映像と展示物とを鮮明に観察することができる。
【００２０】
また、他の実施形態にかかる表示装置は、第１の面および第１の面の裏面である第２の面を有し、可視光に対し透過状態と散乱状態を切り替え可能なスクリーンと、そのスクリーンの透過状態および散乱状態を切り替える制御手段と、を有している。そして、制御手段は、スクリーンを散乱状態に切り替えている場合は、第２の面側の表示手段に第２の映像の光強度を減少させる表示制御情報を出力し、スクリーンを散乱状態に切り替えている任意の期間に、スクリーンに第１の映像を投射させる投射制御情報を出力し、スクリーンを透過状態に切り替えている場合は、第１の映像の投射を停止させる投射制御情報を出力し、スクリーンを透過状態に切り替えている任意の期間に、第２の面側の表示手段に第２の映像の光強度を増加させる表示制御情報を出力している。このようにすることにより、スクリーンが散乱状態の場合には、第１の映像を表示して第２の映像を表示している表示手段の光強度が減少するので、表示される第１の映像のコントラストを非常に高くすることができ、スクリーンが透過状態の場合には、表示手段に第２の映像のコントラストを非常に高く表示させることができる。そのため、スクリーンに表示される第１の映像と表示手段に表示される第２の映像を共に鮮明に観察することができる。
【００２１】
また、制御手段は、スクリーンの透過状態と散乱状態とを所定の周期で交互に切り替えるようにしてもよい。このようにすることにより、スクリーンの表示と展示物や表示手段の観察を交互に行うことができるので、それぞれの表示や観察を時分割で行うことができる。したがって、スクリーンの表示と展示物や表示手段の観察を同時にすることができる。
【００２２】
また、制御手段は、スクリーンの所定の周期の１周期における透過状態と散乱状態との割合を変化させるようにしてもよい。このようにすることにより、例えば、スクリーンの表示と展示物や表示手段のうちより鮮明に見せたい方の割合を多くするようなことができ、スクリーンの表示と展示物や表示手段の内容等に応じてそれぞれの見せ方を変化させることができる。
【００２３】
また、制御手段は、スクリーンの所定の周期の１周期における透過状態と散乱状態との割合を、透過状態の割合を徐々に増加させるとともに散乱状態の割合を徐々に減少させ、透過状態の割合を徐々に減少させるとともに散乱状態の割合を徐々に増加させるように変化させるようにしてもよい。このようにすることにより、例えば、全てスクリーン表示状態から徐々に展示物や表示手段が観察可能となり、その後全て展示物や表示手段の表示状態に変化するクロスフェードなどの演出効果を行うことができる。
【００２４】
また、制御手段は、投射制御情報に第１の映像の光強度を変化させる情報を含ませるようにしてもよい。このようにすることにより、スクリーンの表示と展示物や表示手段のうちより鮮明に見せたい方の光の強さを多くするようなことができ、スクリーンの表示と展示物や表示手段の内容等に応じてそれぞれの見せ方を変化させることができる。
【００２５】
また、制御手段は、第１の映像の光強度を徐々に増加させるとともに照明または第２の映像の光強度を徐々に減少させ、第１の映像の光強度を徐々に減少させるとともに照明または第２の映像の光強度を徐々に増加させるようにしてもよい。このようにすることにより、例えば、光の強さを変化させることで、クロスフェードなどの演出効果を行うことができる。
【００２６】
また、本発明の一実施形態にかかる表示方法は、第１の面および前記第１の面の裏面である第２の面を有し、可視光に対し透過状態と散乱状態を切り替え可能なスクリーンを透過状態および散乱状態を切り替える制御工程を含んでいる。そして、制御工程は、スクリーンを散乱状態に切り替えている場合は、第２の面側の照明の光強度を減少させる照明制御情報を出力し、スクリーンを散乱状態に切り替えている任意の期間に、スクリーンに第１の映像を投射させる投射制御情報を出力し、スクリーンを透過状態に切り替えている場合は、第１の映像の投射を停止させる投射制御情報を出力し、スクリーンを透過状態に切り替えている任意の期間に、第２の面側の照明の光強度を増加させる照明制御情報を出力している。このようにすることにより、スクリーンが散乱状態の場合には、映像を表示して展示物等を照明するための照明の光強度が減少するので、表示映像のコントラストを非常に高くすることができ、スクリーンが透過状態の場合には、照明の光強度を増加させて展示物等を観察させることができる。そのため、スクリーンに表示される映像と展示物とを鮮明に観察することができる。
【００２７】
また、本発明の他の実施形態にかかる表示方法は、第１の面および第１の面の裏面である第２の面を有し、可視光に対し透過状態と散乱状態を切り替え可能なスクリーンを透過状態および散乱状態を切り替える制御工程を含んでいる。制御工程は、スクリーンを散乱状態に切り替えている場合は、第２の面側の表示手段に第２の映像の光強度を減少させる表示制御情報を出力し、スクリーンを散乱状態に切り替えている任意の期間に、スクリーンに第１の映像を投射させる投射制御情報を出力し、スクリーンを透過状態に切り替えている場合は、第１の映像の投射を停止させる投射制御情報を出力し、スクリーンを透過状態に切り替えている任意の期間に、第２の面側の前記表示手段に第２の映像の光強度を増加させる表示制御情報を出力している。このようにすることにより、スクリーンが散乱状態の場合には、第１の映像を表示して第２の映像を表示している表示手段の光強度が減少するので、表示される第１の映像のコントラストを非常に高くすることができ、スクリーンが透過状態の場合には、表示手段に第２の映像のコントラストを非常に高く表示させることができる。そのため、スクリーンに表示される第１の映像と表示手段に表示される第２の映像を共に鮮明に観察することができる。
【００２８】
また、上述した表示方法を、コンピュータにより実行させる表示プログラムとして構成しても良い。このようにすることにより、コンピュータにより実行されるプログラムであるので、専用のハードウェア等が不要となり、汎用の情報処理装置にインストールして機能させることができる。
【００２９】
また、上述した表示プログラムをコンピュータ読み取り可能な記録媒体に格納してもよい。このようにすることにより、当該プログラムを機器に組み込む以外に単体でも流通させることができ、バージョンアップ等も容易に行える。
【実施例１】
【００３０】
本発明の第１の実施例にかかる表示装置２を備えた展示装置１を図１乃至図６を参照して説明する。展示装置１は図１に示すように、表示装置２と、プロジェクタ１１と、照明装置４１と、を備えている。表示装置２とプロジェクタ１１は、プロジェクタ１１の映像光（投影映像）を投射（投影）して、スクリーン２１（投影面）で透過散乱する透過型プロジェクション装置である。なお、図１では、観察者と実体展示物５１との間にスクリーン２１のみが配置されているが、例えば、ショーウインドウ、ショーケース等に実体展示物５１を収容し、ショーウインドウ、ショーケースの少なくとも観察者と対面する一つの面をスクリーン２１で構成またはスクリーン２１が取り付けられているようにしてもよい。【００３１】
表示装置２は、スクリーン２１と、同期制御部３１と、を備えている。【００３２】
図２に、光学状態を制御可能なスクリーン２１の模式的な断面図を示す。図２に示したスクリーン２１は、一対の透明なガラス基板２３，２４の間に液晶を含む複合材料を挟み込んだ光学層である調光部２５を有する。一方のガラス基板２４の調光部２５側には、全面に対向電極２６が形成される。他方のガラス基板２３の調光部２５側には、全面に制御電極２７が形成される。なお、電極２６、２７と調光部２５との間に、絶縁体からなる中間層を形成してもよい。【００３３】
スクリーン２１は、電圧の印加により光学状態を変化できる素子や材料により構成された調光部２５を備えている。調光部２５の光学状態は、散乱状態が映像を表示する状態であり、それよりも入射光の散乱が小さく且つ光線の直線透過率が高い透明な透過状態が映像を表示しない非映像表示状態である。調光部２５は、対向電極２６と制御電極２７との間に配置される。即ち、調光部２５は、２つの電極間に挟持され、２つの電極間に印加された電圧によって光学状態を透過状態と散乱状態とに切り替え可能である。【００３４】
調光部２５には、光学状態を散乱状態と透過状態とを切り替えることができるもの、例えば、高分子中にネマティック液晶ドメインを分布させた所謂高分子分散液晶（ＰＤＬＣ）を用いることができる。また、電圧を印加しない状態において高分子ネットワークがドメインを形成する液晶分子の配向と関連付けられている複合材料を用いれば、より良好な光学状態を実現できる。【００３５】
ＰＤＬＣを用いた例としては、光重合性モノマー、ネマティック液晶及び重合開始材料を適量混合し、調光部材を構成するガラスや樹脂の５から５０ミクロン程度の基板間に配置せしめ、モノマーと液晶が相分離する温度など条件において紫外線を照射することで、高分子中に液晶ドメインを分散させることができる。この場合、通常電圧を印加しない場合に高分子と液晶の屈折率差による散乱が大きく、電場により液晶を配列させた場合に基板法線方向の屈折率差が小さくなるように設計され、ノーマルモードと呼ばれる。この他、ネマティック液晶を含むカプセルをモノマー及び重合開始剤と混合したものを用いることもできる。【００３６】
電圧を印加しない状態において高分子ネットワークがドメインを形成する液晶分子の配向と関連付けられている複合材料としては、光重合性モノマーが液晶の性質を保有している。基板はラビングなど配向処理がなされ、基板間に配置された混合材料は配向処理に基づいた配列をもつ。この状態で紫外線を照射することで、電圧を印加しない場合に上記初期配列となり、電圧を印加することで液晶ドメインと高分子との屈折率差が生じることで散乱を生じる。なお一方向配列とした場合はこの配向に依存した光学特性を有するが、カイラル材を添加し初期配列にねじれを与えることで、入射光の偏光に依存しない光学特性としたものを用いることもできる。この場合、通常電圧を印加しない場合に高分子と液晶の屈折率差による散乱が小さく、電場により液晶を配列させた場合に屈折率差が大きくなるように設計され、リバースモードと呼ばれる。【００３７】
即ち、ノーマルモードでは、電極間に所定の電圧を印加した場合に透過状態となり、電極間に電圧を印加しない場合に散乱状態となる。また、リバースモードでは、電極間に所定の電圧を印加した場合に散乱状態となり、電極間に電圧を印加しない場合に透過状態となる。【００３８】
対向電極２６と制御電極２７は、たとえばＩＴＯ（酸化インジウム・スズ）により、透明電極として形成される。【００３９】
スクリーン２１のガラス基板２４側に位置する観察者からは、スクリーン２１の調光部２５が散乱状態の場合は、スクリーン２１は例えば白濁したように見える。一方、調光部２５が透過状態の場合は、スクリーン２１は透過状態のため、スクリーン２１越しに実体展示物５１を観察することができる。したがって、調光部２５が散乱状態の場合にはスクリーン２１にプロジェクタ１１から投射される映像光が表示でき、透過状態の場合はスクリーン２１は、実体展示物５１を認識しうる透明さを有する。【００４０】
なお、本実施例では、スクリーン２１のガラス基板２４の調光部２５と接しない側の面２４ａを第１の面、ガラス基板２３側の調光部２５と接しない側の面２３ａを第２の面とし、第１の面を観察者側、第２の面を実体展示物５１側に向けるように配置するが、面２４ａを第２の面として実体展示物５１側、面２３ａを第１の面として観察者側に向けるように配置してもよい。【００４１】
スクリーン２１は、制御電極２７と対向電極２６との間に電位差を生じるように電圧が印加される。駆動波形（駆動電圧波形）としては、たとえば、一方の電極を直流状態（０ボルト）として、他方の電極に交流電圧を印加するようにしてもよいし、双方の電極に位相が反転した交流電圧を印加して電位差が生じるようにしてもよい。即ち、制御電極２７と対向電極２６との間に電位差を生じるように電圧が印加されると、スクリーン２１がノーマルモードの場合は透過状態になり、リバースモードの場合は散乱状態になる。なお、以下の説明において、スクリーン２１はノーマルモード、リバースモードのいずれであってもよい。【００４２】
制御手段としての同期制御部３１は、映像光が投射されるスクリーン２１の調光部２５を、映像光が投射されている場合は当該映像光を散乱する状態に制御し、投射されていない場合に透過状態に制御する。即ち、調光部２５を散乱状態または透過状態となるように電圧を印加する。同期制御部３１は、図１に示したように、プロジェクタ１１とスクリーン２１と照明装置４１とに接続される。同期制御部３１は、プロジェクタ１１の映像光の投射に同期させて、スクリーン２１（調光部２５）の光学状態と、照明装置４１の点灯および消灯の切り替えを制御する。また、プロジェクタ１１から同期制御部３１へ入力される同期信号は、例えばプロジェクタ１１に入力される映像信号の映像フレーム周期に同期した同期信号を用いることができる。【００４３】
なお、同期制御部３１は、ＣＰＵ（Central Processing Unit）やメモリ等を備え、プログラムにより動作が制御されるコンピュータで構成されてもよいし、ＡＳＩＣ（Application Specific Integrated Circuit）などから構成された専用のハードウェアでもよい。【００４４】
プロジェクタ１１は、スクリーン２１の実体展示物５１側に配置されている。プロジェクタ１１は、スクリーン２１へ映像情報により変調された映像光を投射できるものであればよい。即ち、スクリーン２１に第１の映像を投射する。なお、映像情報は、プロジェクタ１１に入力される映像信号から得られる。プロジェクタ１１には、動画の映像信号だけでなく静止画の映像信号が入力されてもよい。また、プロジェクタ１１は、スクリーン２１の実体展示物５１側に限らず観察者側に配置してもよい。【００４５】
照明装置４１は、スクリーン２１の実体展示物５１側に配置されていることが望ましいが、スクリーン２１の観察者側に配置することも可能である。照明装置４１は、実体展示物５１を照明する。照明装置４１は、例えば、ＬＥＤ（Light Emitting Diode）ライトや有機ＥＬ（Electro Luminescence）照明など後述する１映像周期以下の高速で点灯と消灯の切り替えが可能なものが望ましい。【００４６】
図３に上述した構成のスクリーン２１の状態と、調光部２５の光線の直線透過率と、プロジェクタ１１から投射される映像光の強度（光強度）と、照明装置４１の照明光強度を示したタイミングチャートである。【００４７】
図３に示したように、スクリーン２１は、１映像周期内に１回散乱状態と透過状態とに変化する。つまり、透過状態と散乱状態とを所定の周期で交互に切り替えている。１映像周期とは、プロジェクタ１１に入力される映像信号の１フレーム期間などであり、例えば５０〜６０Ｈｚ程度である。したがって、スクリーン２１は、１映像周期よりも短い期間で散乱状態と透過状態との切り替えが行われる。【００４８】
スクリーン２１（調光部２５）が散乱状態となると、調光部２５の光線の直線透過率は低下する。この期間にスクリーンに入射した光は散乱されるので、映像を表示することが可能となる。したがって、プロジェクタ１１は映像光をスクリーン２１に投射するので映像光強度が上昇し映像が表示される。一方、スクリーン２１が散乱状態の期間は、照明装置４１は消灯に切り替える。映像が表示されている際に照明装置４１が点灯していると、照明装置４１の影響によりスクリーン２１に表示されている映像のコントラストが低下してしまうためである。【００４９】
スクリーン２１が透過状態となると、調光部２５の光線の直線透過率は上昇する。この期間にスクリーンに入射した光はそのまま透過する。したがって、プロジェクタ１１は映像光をスクリーン２１に投射を停止する。一方、スクリーン２１が透過状態の期間は、照明装置４１は点灯に切り替える。照明装置４１が点灯すると、実体展示物５１が照明されスクリーン２１越しに鮮明に観察することができる。【００５０】
スクリーン２１には、１映像周期毎に全画面の映像を繰り返し投影しており、人間の目にはこの繰り返しは点滅として認識されないで、時間平均（積分）されることによって、スクリーン２１に投影された映像と、実体展示物５１とを、フリッカを感じることなく同時に観察することができる。【００５１】
上述した動作を図４のフローチャートにまとめる。図４に示したフローチャートは同期制御部３１で実行される。【００５２】
まず、ステップＳ１において、１映像周期の先頭を検出するための同期信号を検出してステップＳ２に進む。同期信号は、上述したプロジェクタ１１に入力される映像信号の映像フレーム周期に同期した同期信号などを用いればよい。なお、プロジェクタ１１と照明装置４１は、初期状態として、映像光を投射していない状態、消灯状態にそれぞれ設定されている。【００５３】
次に、ステップＳ２において、スクリーン２１を散乱状態にするように対向電極２６と制御電極２７に電圧を印加してステップＳ３に進む。【００５４】
次に、ステップＳ３において、プロジェクタ１１に映像光を投射させてステップＳ４に進む。即ち、プロジェクタ１１に第１の映像としての映像光を投射させる投射制御情報を出力する。投射制御情報は、１つの信号線のハイレベルとローレベルに投射の開始と停止とが定義されている制御信号方式としてもよし、複数の信号線のハイレベルとローレベルの組み合わせから構成されるコマンド等に投射の開始と停止とが定義されているコマンド形式でもよい。また、本ステップは、図３に示した過渡状態が経過した後に行う。過渡状態の期間は、調光部２５を構成する材料と印加する電圧によって予め算出可能である。【００５５】
次に、ステップＳ４において、予め定めた期間経過後にステップＳ３で行った映像の投射を停止させステップＳ５に進む。この映像の投射期間はスクリーン２１の散乱状態の期間に応じて定められている。即ち、プロジェクタ１１に映像光を投射を停止させる投射制御情報を出力する。【００５６】
次に、ステップＳ５において、スクリーン２１を透過状態にするように対向電極２６と制御電極２７に電圧を印加してステップＳ６に進む。【００５７】
次に、ステップＳ６において、照明装置４１を点灯させてステップＳ７に進む。勿論本ステップは、図３に示した過渡状態が経過した後に行う。即ち、第２の面側の照明装置４１を点灯させる照明制御情報を出力する。照明制御情報は、１つの信号線のハイレベルとローレベルに点灯と消灯とが定義されている制御信号方式としてもよし、複数の信号線のハイレベルとローレベルの組み合わせから構成されるコマンド等に点灯と消灯とが定義されているコマンド形式でもよい。【００５８】
次に、ステップＳ７において、予め定めた期間経過後に照明装置４１を消灯させステップＳ８に進む。この映像の照明装置４１の点灯期間はスクリーン２１の透過状態の期間に応じて定められている。即ち、第２の面側の照明装置４１を消灯させる照明制御情報を出力する。【００５９】
次に、ステップＳ８において、展示装置１の使用を終了するか否かを判断し、終了する場合（ＹＥＳの場合）はフローチャートを終了し、終了しない場合（ＮＯの場合）はステップＳ１に戻る。即ち、本フローチャートが制御工程として機能する。【００６０】
ここで、１映像周期の中で調光部２５が透過状態となる時間と散乱状態となる時間の比（以下デューティ）を大きくするとスクリーン２１の輝度を明るくすることができ、逆にデューティを小さくすると  実体展示物５１を鮮明に照らし出すことができる。つまり、デューティが大きい場合は１映像周期における散乱状態の割合が多くなり、デューティが小さい場合は１映像周期における透過状態の割合が多くなる。【００６１】
デューティによって変化するのはスクリーン２１と実体展示物５１それぞれの最大明るさであり、スクリーン２１に表示する映像の明るさはプロジェクタ１１に入力される映像信号レベルまたは投射光の強度によって変化させることが可能であり、さらに照明装置４１を調光することによって実体展示物５１を暗く或いは明るく見せることも可能である。このようにデューティの制御や、プロジェクタ１１側、および照明装置４１側での調光によってクロスフェード効果などのより複雑な演出が与える可能となる。勿論、デューティの制御と調光制御を組み合せてもよい。【００６２】
クロスフェード効果の具体的動作例について図５および図６を参照して説明する。図５は、デューティを変化させることでクロスフェード効果を行う例である。図５（ａ）は、基本的に図３に示したタイミングチャートと同様であるが、一例として１映像周期を１０ミリ秒とし、散乱状態Ｔａを５ミリ秒、透過状態Ｔｂを４ミリ秒、散乱状態と透過状態に変化する際の過渡状態を０．５ミリ秒としている。そして、プロジェクタ１１の光強度をＡ、照明装置４１の照明光強度をＢとする。【００６３】
この場合に、散乱状態の時間Ｔａは１〜８ミリ秒と増加させ、透過状態の時間Ｔａは８〜１ミリ秒と減少させると、図５（ｂ）に示したように、プロジェクタ１１からの最大光強度（スクリーン２１上の映像の最大明るさ値）は１Ａ〜８Ａと順に変化し、最大照明光強度（実体展示物５１（照明装置４１）の最大明るさ値）は８Ｂ〜１Ｂと順に変化する。なお、図５（ｂ）の表でクロスフェードの時間経過の単位は映像周期や秒など１映像周期以上の長さの時間であれば任意に設定すればよい。【００６４】
即ち、スクリーン２１の１映像周期における透過状態と散乱状態との割合を、透過状態の割合を徐々に増加させるとともに散乱状態の割合を徐々に減少させ、透過状態の割合を徐々に減少させるとともに散乱状態の割合を徐々に増加させるように変化させている。このようにすることで、例えば、スクリーン２１に映像が表示されている状態から徐々に映像が見えなくなるとともに、実体展示物５１が徐々に見え始め、最終的には実体展示物５１のみが見えるようなクロスフェード効果が実現できる。【００６５】
次に、図６を説明する。図５は、光強度を変化させることでクロスフェード効果を行う例である。図６（ａ）も、図５（ａ）に示したタイミングチャートと同様であるが、散乱状態Ｔａを１ミリ秒、透過状態Ｔｂを８ミリ秒、散乱状態と透過状態に変化する際の過渡状態を０．５ミリ秒と固定している。そして、プロジェクタ１１の最大光強度をＡｍａｘ、照明装置４１の最大照明光強度をＢｍａｘとする。【００６６】
この場合に、プロジェクタ１１の光強度を８分の１ずつ増加させ、照明光強度を８分の１ずつ減少させると、図６（ｂ）に示したように、プロジェクタ１１からの最大光強度（スクリーン２１上の映像の最大明るさ値）は０〜１Ａｍａｘと順に変化し、最大照明光強度（実体展示物５１（照明装置４１）の最大明るさ値）は８Ｂｍａｘ〜０と順に変化する。これは、投射制御情報や照明制御情報に投射の開始または停止や点灯または消灯以外に光強度を変化させる光強度情報を含ませて出力できるようにすればよい。この光強度情報は、例えば、光強度を絶対値として指定してもよいし、現在値からの相対値（−１２．５％等）を指定するようにしてもよい。【００６７】
即ち、映像の光強度を徐々に増加させるとともに照明装置４１の光強度を徐々に減少させ、映像の光強度を徐々に減少させるとともに照明装置４１の光強度を徐々に増加させている。このようにすることでも、例えば、スクリーン２１に映像が表示されている状態から徐々に映像が見えなくなるとともに、実体展示物５１が徐々に見え始め、最終的には実体展示物５１のみが見えるようなクロスフェード効果がデューティを変化させずに実現できる。【００６８】
本実施例によれば、同期制御部３１が、スクリーン２１を散乱状態に切り替えている場合は、照明装置４１を消灯させる照明制御情報を照明装置４１に出力し、プロジェクタ１１からスクリーン２１に映像光を投射させる投射制御情報をプロジェクタ１１に出力する。スクリーン２１を透過状態に切り替えている場合は、プロジェクタ１１から映像光の投射を停止させる投射制御情報をプロジェクタ１１に出力し、照明装置４１を点灯させる照明制御情報を照明装置４１に出力している。このようにすることにより、スクリーン２１が散乱状態の場合には、映像を表示して実体展示物５１を照明するための照明装置４１が消灯されるので、表示映像のコントラストを非常に高くすることができ、スクリーン２１が透過状態の場合には、照明装置４１を点灯して実体展示物５１を観察させることができる。そのため、スクリーン２１に表示される映像と実体展示物５１とを鮮明に観察することができる。また、散乱状態では照明装置４１を消灯しているので、照明装置４１の消費電力を低減することができる。【００６９】
また、スクリーン２１の透過状態と散乱状態とを１映像周期で交互に切り替えるようにしているので、スクリーン２１の表示と実体展示物５１の観察を交互に行うことができる。つまり、それぞれの表示や観察を時分割で行うことができる。したがって、スクリーン２１の表示と実体展示物５１の観察を同時にすることができる。さらには、時分割であるので観察者が移動しても映像と実体展示物５１の両方を観察することができ観察位置の制限がない。【００７０】
また、スクリーン２１の１映像周期における透過状態と散乱状態とのデューティを、透過状態の割合が徐々に増加させるとともに散乱状態の割合が徐々に減少させ、あるいは逆に透過状態の割合が徐々に減少させるとともに散乱状態の割合が徐々に増加させるように変化させるようにしている。このようにすることにより、例えば、全てスクリーン２１表示状態から徐々に実体展示物５１が観察可能となり、その後全て実体展示物５１の観察状態に変化するクロスフェードの演出効果を、あるいは逆に実体展示物５１のみが観察可能な状態から徐々にスクリーン２１表示が現れ、その後全てスクリーン２１表示に変化するクロスフェードの演出効果などを行うことができる。【００７１】
また、プロジェクタ１１の光強度を徐々に増加させるとともに照明装置４１の光強度を徐々に減少させ、あるいは逆にプロジェクタ１１の光強度を徐々に減少させるとともに照明装置４１の光強度を徐々に増加させるようにしている。このようにすることにより、例えば、光の強さを変化させることで、透過状態と散乱状態とのデューティとは独立してクロスフェードなどの演出効果を行うことができる。【００７２】
また、プロジェクタ１１とスクリーン２１からなる、透過型プロジェクション装置を使用しているので、プロジェクタ１１の投射位置の自由度が大きくなる。また、スクリーン２１は可視光全域に渡って対応しているので、プロジェクタから投射される映像光の波長が制限されない。また、スクリーン２１の光透過および光拡散効率が時分割制御することによりそれぞれを高くすることが可能で、光のロスが殆ど起こらない。
【実施例２】
【００７３】
次に、本発明の第２の実施例にかかる表示装置を図７乃至図９を参照して説明する。なお、前述した第１の実施例と同一部分には、同一符号を付して説明を省略する。【００７４】
本実施例では、照明装置４１と実体展示物５１に代えて表示手段としての不透明ディスプレイ６１を備えている。【００７５】
不透明ディスプレイ６１は、第１の実施例の実体展示物５１と同様に、スクリーン２１の第２の面側に配置され、第２の映像としての動画や静止画或いは文字情報などの映像信号が入力され観察者に向かって表示されている。不透明ディスプレイ６１は、照明装置４１と同様に高速で点灯と消灯が可能なＬＥＤバックライトの液晶ディスプレイやＥＬディスプレイなどのフラットパネルディスプレイを用いることができる。本実施例における不透明ディスプレイ６１は、表示されている映像を観察者が観察できる程度の輝度が必要であるので、自発光素子で構成するか、バックライト等の発光手段を備えていることが好ましい。【００７６】
図８に本実施例のスクリーン２１の状態と、調光部２５の光線の直線透過率と、プロジェクタ１１から投射される映像光の強度（光強度）と、照明装置４１の照明光強度を示したタイミングチャートを示す。図８に示したように、スクリーン２１が散乱状態の場合は図３と同様にプロジェクタ１１からの映像光が投射される。そして、スクリーン２１が透過状態の場合は、不透明ディスプレイ６１に映像が表示される。つまり、不透明ディスプレイ６１に映像が表示されるため発光強度が高くなる。【００７７】
つまり、スクリーン２１を散乱状態に切り替えている場合は、第２の面側の不透明ディスプレイ６１に映像の表示を停止させる表示制御情報を出力し、プロジェクタ１１に映像を投射させる投射制御情報を出力し、スクリーン２１を透過状態に切り替えている場合は、プロジェクタ１１に映像の投射を停止させる投射制御情報を出力し、第２の面側の不透明ディスプレイ６１に映像を表示させる表示制御情報を出力する。表示制御情報は、投射制御情報と同様に、表示の開始と停止とを、制御信号方式で行ってもよいし、コマンド方式で行ってもよい。【００７８】
このように、本実施例では、スクリーン２１と不透明ディスプレイ６１とには、１映像周期毎に全画面の映像を繰り返し投影しており、人間の目にはこの繰り返しは点滅として認識されないで、時間平均（積分）されることによって、スクリーン２１に投影された映像と、不透明ディスプレイ６１に表示された映像とを、フリッカを感じることなく同時に観察することができるので、それら内容を連携させることでより効果的な演出が可能となる。【００７９】
ここで、プロジェクタ１１と不透明ディスプレイ６１それぞれの映像を個別に送出した場合、送出タイミングがずれることで、演出的に逆効果となってしまう場合がある。また、それぞれの表示タイミングと時間配分は、上述したように１映像周期の中で割り振らなければならないが、表示される内容がそれぞれ独立した時間経過を持つと双方を満足するタイミング制御が十分に行えないといった問題が生じる。【００８０】
そこで、２つの映像ソースを１つの映像ソースにまとめて送出し、受け取るそれぞれのプロジェクタ１１および不透明ディスプレイ６１がそれぞれの映像信号を１つの映像ソースから抽出する。この様な映像信号の例としては３Ｄ（３次元）テレビ放送などに用いられているＬ−ｃｈ（左目用）映像、とＲ−ｃｈ（右目用）映像を重畳したサイドバイサイド信号などを用いることができる。【００８１】
上述した２つの映像ソースを１つにまとめて送出し、受け取るそれぞれのプロジェクタ１１および不透明ディスプレイ６１がそれぞれの映像信号を１つの映像ソースから抽出して表示する例を図９に示す。図９に示したように、まず、スクリーン２１用映像と不透明ディスプレイ６１用映像をそれぞれ用意する（図９（ａ））。次に、不図示の映像送出装置等が、スクリーン２１用映像と不透明ディスプレイ６１用映像とを、サイドバイサイド信号などで１つの映像ソース（映像信号）にまとめて送出する（図９（ｂ））。次に、プロジェクタ１１では、１つにまとめられている映像信号からスクリーン用映像の映像信号を抽出してスクリーン２１に向けて投射する。不透明ディスプレイ６１では、１つにまとめられている映像信号から不透明ディスプレイ６１用映像の映像信号を抽出して表示する（図９（ｃ））。すると、観察者から手前に位置するスクリーン用映像の奥に不透明ディスプレイ６１用映像が表示されているように見える（図９（ｄ））。【００８２】
また、本実施例においても図５および図６で説明したクロスフェードを同様にして行うことができる。【００８３】
本実施例によれば、同期制御部３１が、スクリーン２１を散乱状態に切り替えている場合は、不透明ディスプレイ６１に映像の表示を停止させる表示制御情報を出力し、スクリーン２１にプロジェクタ１１から映像光を投射させる投射制御情報を出力する。スクリーン２１を透過状態に切り替えている場合は、プロジェクタ１１から映像光の投射を停止させる投射制御情報を出力し、不透明ディスプレイ６１に映像を表示させる表示制御情報を出力している。このようにすることにより、スクリーン２１が散乱状態の場合には、プロジェクタ１１からの映像を表示して不透明ディスプレイ６１の表示が停止されるので、スクリーン２１に表示される映像のコントラストを非常に高くすることができ、スクリーン２１が透過状態の場合には、不透明ディスプレイ６１の映像を表示させることができる。そのため、スクリーン２１に表示映像と不透明ディスプレイ６１に表示される映像を鮮明に観察することができる。【００８４】
また、スクリーン２１の透過状態と散乱状態とを１映像周期で交互に切り替えるようにしているので、スクリーン２１の表示と不透明ディスプレイ６１の表示を交互に行うことができる。そのため、それぞれの表示を時分割で行うことができる。したがって、スクリーン２１の表示と不透明ディスプレイ６１の表示を同時に観察することができる。【００８５】
また、プロジェクタ１１から投射する映像光の映像ソースと不透明ディスプレイ６１に表示する映像ソースとを１つの映像ソースにまとめてそれぞれに送出し、プロジェクタ１１と不透明ディスプレイ６１で、それぞれの映像ソースを抽出して投影または表示させているので、双方の映像のタイミングを合わせることができる。【００８６】
なお、上述した２つの実施例において、プロジェクタ１１から映像光を投射する期間や照明装置４１を点灯する期間および不透明ディスプレイ６１を表示させる期間は、散乱状態や透過状態の期間と完全に一致させる必要は無い。つまり、散乱状態の期間の間の任意の期間にプロジェクタ１１から映像光を投射するようにしてもよいし、透過状態の期間の間の任意の期間に照明装置４１を点灯したり不透明ディスプレイ６１を表示させるようにしてもよい。【００８７】
また、本発明は、照明（もしくは別の表示装置）が完全に消灯になるものに限らず、例えばスクリーン２１が散乱状態の時に、照明（もしくは別の表示装置）が完全に消灯とはならないけれども、相対的に弱くなるように時分割変調することなど、光強度を減少させるようなものも含まれる。即ち、クロスフェード以外でも、照明の消灯や点灯、別の表示装置の表示または停止に限らず、光強度（輝度や照度など）を減少または増加とする制御を行って、スクリーンに表示される映像と実体展示物や別の表示装置とを鮮明に観察することができるような光強度であれば含まれる。【００８８】
また、本発明は上記実施例に限定されるものではない。即ち、当業者は、従来公知の知見に従い、本発明の骨子を逸脱しない範囲で種々変形して実施することができる。かかる変形によってもなお本発明の表示装置の構成を具備する限り、勿論、本発明の範疇に含まれるものである。
【符号の説明】
【００８９】
２        表示装置
１１      プロジェクタ
２１      スクリーン
２３ａ    第２の面
２４ａ    第１の面
３１      同期制御部（制御手段）
４１      照明装置
５１      実体展示物
６１      不透明ディスプレイ
【図１】
2014109026.tif 000003
【図２】
2014109026.tif 000004
【図３】
2014109026.tif 000005
【図４】
2014109026.tif 000006
【図５】
2014109026.tif 000007
【図６】
2014109026.tif 000008
【図７】
2014109026.tif 000009
【図８】
2014109026.tif 000010
【図９】
2014109026.tif 000011
【手続補正書】
【提出日】平成27年7月1日(2015.7.1)
【手続補正１】
【補正対象書類名】明細書
【補正対象項目名】００１０
【補正方法】変更
【補正の内容】
【００１０】
上記課題を解決するために、請求項１に記載された発明は、第１の面および前記第１の面の裏面である第２の面を有し、可視光に対し透過状態と散乱状態を切り替え可能なスクリーンと、前記スクリーンの透過状態および散乱状態を切り替える制御手段と、有し、前記制御手段は、１映像周期内で前記透過状態から前記散乱状態への切り替え、及び、前記散乱状態から前記透過状態への切り替えを行い、前記スクリーンを前記散乱状態に切り替えている場合は、前記第２の面側の照明の光強度を減少させる照明制御情報を出力し、前記スクリーンを前記散乱状態に切り替えている任意の期間に、前記スクリーンに第１の映像を投射させる投射制御情報を出力し、前記スクリーンを前記透過状態に切り替えている場合は、前記第１の映像の投射を停止させる前記投射制御情報を出力し、前記スクリーンを前記透過状態に切り替えている任意の期間に、前記第２の面側の照明の光強度を増加させる前記照明制御情報を出力する、ことを特徴とする表示装置である。
【手続補正２】
【補正対象書類名】明細書
【補正対象項目名】００１１
【補正方法】変更
【補正の内容】
【００１１】
請求項２に記載された発明は、第１の面および前記第１の面の裏面である第２の面を有し、可視光に対し透過状態と散乱状態を切り替え可能なスクリーンと、前記スクリーンの透過状態および散乱状態を切り替える制御手段と、有し、前記制御手段は、前記スクリーンを前記散乱状態に切り替えている場合は、前記第２の面側の発光手段を備えた不透明表示手段に第２の映像の光強度を減少させる表示制御情報を出力し、前記スクリーンを前記散乱状態に切り替えている任意の期間に、前記スクリーンに第１の映像を投射させる投射制御情報を出力し、前記スクリーンを前記透過状態に切り替えている場合は、前記第１の映像の投射を停止させる前記投射制御情報を出力し、前記スクリーンを前記透過状態に切り替えている任意の期間に、前記表示手段に前記第２の映像の光強度を増加させる前記表示制御情報を出力する、ことを特徴とする表示装置である。
【手続補正３】
【補正対象書類名】明細書
【補正対象項目名】００１２
【補正方法】変更
【補正の内容】
【００１２】
請求項８に記載された発明は、第１の面および前記第１の面の裏面である第２の面を有し、可視光に対し透過状態と散乱状態を切り替え可能なスクリーンを透過状態および散乱状態を切り替える制御工程を含み、前記制御工程は、１映像周期内で前記透過状態から前記散乱状態への切り替え、及び、前記散乱状態から前記透過状態への切り替えを行い、前記スクリーンを前記散乱状態に切り替えている場合は、前記第２の面側の照明の光強度を減少させる照明制御情報を出力し、前記スクリーンを前記散乱状態に切り替えている任意の期間に、前記スクリーンに第１の映像を投射させる投射制御情報を出力し、前記スクリーンを前記透過状態に切り替えている場合は、前記第１の映像の投射を停止させる前記投射制御情報を出力し、前記スクリーンを前記透過状態に切り替えている任意の期間に、前記第２の面側の照明の光強度を増加させる前記照明制御情報を出力する、ことを特徴とする表示方法である。
【手続補正４】
【補正対象書類名】明細書
【補正対象項目名】００１３
【補正方法】変更
【補正の内容】
【００１３】
請求項９に記載された発明は、第１の面および前記第１の面の裏面である第２の面を有し、可視光に対し透過状態と散乱状態を切り替え可能なスクリーンを透過状態および散乱状態を切り替える制御工程を含み、前記制御工程は、前記スクリーンを前記散乱状態に切り替えている場合は、前記第２の面側の発光手段を備えた不透明表示手段に第２の映像の光強度を減少させる表示制御情報を出力し、前記スクリーンを前記散乱状態に切り替えている任意の期間に、前記スクリーンに第１の映像を投射させる投射制御情報を出力し、前記スクリーンを前記透過状態に切り替えている場合は、前記第１の映像の投射を停止させる前記投射制御情報を出力し、前記スクリーンを前記透過状態に切り替えている任意の期間に、前記表示手段に前記第２の映像の光強度を増加させる前記表示制御情報を出力する、ことを特徴とする表示方法である。
【手続補正５】
【補正対象書類名】特許請求の範囲
【補正対象項目名】全文
【補正方法】変更
【補正の内容】
【特許請求の範囲】
【請求項１】
第１の面および前記第１の面の裏面である第２の面を有し、可視光に対し透過状態と散乱状態を切り替え可能なスクリーンと、
前記スクリーンの透過状態および散乱状態を切り替える制御手段と、有し、
前記制御手段は、
１映像周期内で前記透過状態から前記散乱状態への切り替え、及び、前記散乱状態から前記透過状態への切り替えを行い、
前記スクリーンを前記散乱状態に切り替えている場合は、前記第２の面側の照明の光強度を減少させる照明制御情報を出力し、前記スクリーンを前記散乱状態に切り替えている任意の期間に、前記スクリーンに第１の映像を投射させる投射制御情報を出力し、
前記スクリーンを前記透過状態に切り替えている場合は、前記第１の映像の投射を停止させる前記投射制御情報を出力し、前記スクリーンを前記透過状態に切り替えている任意の期間に、前記第２の面側の照明の光強度を増加させる前記照明制御情報を出力する、
ことを特徴とする表示装置。
【請求項２】
第１の面および前記第１の面の裏面である第２の面を有し、可視光に対し透過状態と散乱状態を切り替え可能なスクリーンと、
前記スクリーンの透過状態および散乱状態を切り替える制御手段と、有し、
前記制御手段は、
前記スクリーンを前記散乱状態に切り替えている場合は、前記第２の面側の発光手段を備えた不透明表示手段に第２の映像の光強度を減少させる表示制御情報を出力し、前記スクリーンを前記散乱状態に切り替えている任意の期間に、前記スクリーンに第１の映像を投射させる投射制御情報を出力し、
前記スクリーンを前記透過状態に切り替えている場合は、前記第１の映像の投射を停止させる前記投射制御情報を出力し、前記スクリーンを前記透過状態に切り替えている任意の期間に、前記表示手段に前記第２の映像の光強度を増加させる前記表示制御情報を出力する、
ことを特徴とする表示装置。
【請求項３】
前記制御手段は、前記スクリーンの前記透過状態と前記散乱状態とを所定の周期で交互に切り替えることを特徴とする請求項１または２に記載の表示装置。
【請求項４】
前記制御手段は、前記スクリーンの前記所定の周期の１周期における前記透過状態と前記散乱状態との割合を変化させることを特徴とする請求項３に記載の表示装置。
【請求項５】
前記制御手段は、前記スクリーンの前記所定の周期の１周期における前記透過状態と前記散乱状態との割合を、前記透過状態の割合を徐々に増加させるとともに前記散乱状態の割合を徐々に減少させ、前記透過状態の割合を徐々に減少させるとともに前記散乱状態の割合を徐々に増加させるように変化させることを特徴とする請求項４に記載の表示装置。
【請求項６】
前記制御手段は、前記投射制御情報に前記第１の映像の光強度を変化させる情報を含ませることを特徴とする請求項１乃至５のうちいずれか一項に記載の表示装置。
【請求項７】
前記制御手段は、前記第１の映像の光強度を徐々に増加させるとともに前記照明または前記第２の映像の光強度を徐々に減少させ、前記第１の映像の光強度を徐々に減少させるとともに前記照明または前記第２の映像の光強度を徐々に増加させることを特徴とする請求項６に記載の表示装置。
【請求項８】
第１の面および前記第１の面の裏面である第２の面を有し、可視光に対し透過状態と散乱状態を切り替え可能なスクリーンを透過状態および散乱状態を切り替える制御工程を含み、
前記制御工程は、
１映像周期内で前記透過状態から前記散乱状態への切り替え、及び、前記散乱状態から前記透過状態への切り替えを行い、
前記スクリーンを前記散乱状態に切り替えている場合は、前記第２の面側の照明の光強度を減少させる照明制御情報を出力し、前記スクリーンを前記散乱状態に切り替えている任意の期間に、前記スクリーンに第１の映像を投射させる投射制御情報を出力し、
前記スクリーンを前記透過状態に切り替えている場合は、前記第１の映像の投射を停止させる前記投射制御情報を出力し、前記スクリーンを前記透過状態に切り替えている任意の期間に、前記第２の面側の照明の光強度を増加させる前記照明制御情報を出力する、
ことを特徴とする表示方法。
【請求項９】
第１の面および前記第１の面の裏面である第２の面を有し、可視光に対し透過状態と散乱状態を切り替え可能なスクリーンを透過状態および散乱状態を切り替える制御工程を含み、
前記制御工程は、
前記スクリーンを前記散乱状態に切り替えている場合は、前記第２の面側の発光手段を備えた不透明表示手段に第２の映像の光強度を減少させる表示制御情報を出力し、前記スクリーンを前記散乱状態に切り替えている任意の期間に、前記スクリーンに第１の映像を投射させる投射制御情報を出力し、
前記スクリーンを前記透過状態に切り替えている場合は、前記第１の映像の投射を停止させる前記投射制御情報を出力し、前記スクリーンを前記透過状態に切り替えている任意の期間に、前記表示手段に前記第２の映像の光強度を増加させる前記表示制御情報を出力する、
ことを特徴とする表示方法。
【請求項１０】
請求項８に記載の表示方法を、コンピュータにより実行させることを特徴とする表示プログラム。
【請求項１１】
請求項９に記載の表示方法を、コンピュータにより実行させることを特徴とする表示プログラム。
【請求項１２】
請求項１０に記載の表示プログラムを格納したことを特徴とするコンピュータ読み取り可能な記録媒体。
【請求項１３】
請求項１１に記載の表示プログラムを格納したことを特徴とするコンピュータ読み取り可能な記録媒体。
【手続補正書】
【提出日】平成28年7月29日(2016.7.29)
【手続補正２】
【補正対象書類名】明細書
【補正対象項目名】００１０
【補正方法】変更
【補正の内容】
【００１０】
上記課題を解決するために、請求項１に記載された発明は、可視光に対し透過状態と散乱状態に切替え可能なスクリーンと、前記散乱状態において、前記スクリーンの裏面側の照明の光強度を減少させる情報及び当該散乱状態における任意の期間に第１映像を前記スクリーンに投射させる情報を出力し、前記透過状態において、前記第１映像の投射を停止させる情報及び当該透過状態における任意の期間に前記光強度を増加させる情報を出力する制御手段と、を有し、前記制御手段は、１映像周期内で前記透過状態及び前記散乱状態に切替えることを特徴とする表示装置である。
【手続補正３】
【補正対象書類名】明細書
【補正対象項目名】００１１
【補正方法】変更
【補正の内容】
【００１１】
請求項２に記載された発明は、可視光に対し透過状態と散乱状態に切替え可能なスクリーンと、前記散乱状態において、前記スクリーンの裏面側の第２映像の光強度を減少させる情報及び当該散乱状態における任意の期間に第１映像を前記スクリーンに投射させる情報を出力し、前記透過状態において、前記第１映像の投射を停止させる情報及び当該透過状態における任意の期間に前記光強度を増加させる情報を出力する制御手段と、を有し、前記制御手段は、前記第１映像の１映像周期内で前記透過状態及び前記散乱状態に切替えることを特徴とする表示装置である。
【手続補正４】
【補正対象書類名】明細書
【補正対象項目名】００１２
【補正方法】変更
【補正の内容】
【００１２】
請求項８に記載された発明は、可視光に対し透過状態と散乱状態に切替え可能なスクリーンを前記透過状態と前記散乱状態に切り替える制御手段を有する表示装置の表示方法であって、前記散乱状態において、前記スクリーンの裏面側の照明の光強度を減少させる情報及び当該散乱状態における任意の期間に第１映像を前記スクリーンに投射させる情報を出力し、前記透過状態において、前記第１映像の投射を停止させる情報及び当該透過状態における任意の期間に前記光強度を増加させる情報を出力する制御工程を含み、前記制御工程は、１映像周期内で前記透過状態及び前記散乱状態に切替えることを特徴とする表示方法である。
【手続補正５】
【補正対象書類名】明細書
【補正対象項目名】００１３
【補正方法】変更
【補正の内容】
【００１３】
請求項９に記載された発明は、可視光に対し透過状態と散乱状態に切替え可能なスクリーンを前記透過状態と前記散乱状態に切り替える制御手段を有する表示装置の表示方法であって、前記散乱状態において、前記スクリーンの裏面側の第２映像の光強度を減少させる情報及び当該散乱状態における任意の期間に第１映像を前記スクリーンに投射させる情報を出力し、前記透過状態において、前記第１映像の投射を停止させる情報及び当該透過状態における任意の期間に前記光強度を増加させる情報を出力する制御工程を含み、前記制御工程は、前記第１映像の１映像周期内で前記透過状態及び前記散乱状態に切替えることを特徴とする表示方法である。
【手続補正６】
【補正対象書類名】特許請求の範囲
【補正対象項目名】全文
【補正方法】変更
【補正の内容】
【特許請求の範囲】
【請求項１】
可視光に対し透過状態と散乱状態に切替え可能なスクリーンと、
前記散乱状態において、前記スクリーンの裏面側の照明の光強度を減少させる情報及び当該散乱状態における任意の期間に第１映像を前記スクリーンに投射させる情報を出力し、前記透過状態において、前記第１映像の投射を停止させる情報及び当該透過状態における任意の期間に前記光強度を増加させる情報を出力する制御手段と、を有し、
前記制御手段は、１映像周期内で前記透過状態及び前記散乱状態に切替えることを特徴とする表示装置。
【請求項２】
可視光に対し透過状態と散乱状態に切替え可能なスクリーンと、
前記散乱状態において、前記スクリーンの裏面側の第２映像の光強度を減少させる情報及び当該散乱状態における任意の期間に第１映像を前記スクリーンに投射させる情報を出力し、前記透過状態において、前記第１映像の投射を停止させる情報及び当該透過状態における任意の期間に前記光強度を増加させる情報を出力する制御手段と、を有し、
前記制御手段は、前記第１映像の１映像周期内で前記透過状態及び前記散乱状態に切替えることを特徴とする表示装置。
【請求項３】
前記第２映像は前記裏面側の発光手段を備えた不透明表示手段に表示されることを特徴とする請求項２に記載の表示装置。
【請求項４】
前記制御手段は、前記スクリーンの前記１映像周期における前記透過状態と前記散乱状態との割合を変化させることを特徴とする請求項１乃至３のうちいずれか一項に記載の表示装置。
【請求項５】
前記制御手段は、前記スクリーンの前記１映像周期における前記透過状態と前記散乱状態との割合を、前記透過状態の割合を徐々に増加させるとともに前記散乱状態の割合を徐々に減少させ、前記透過状態の割合を徐々に減少させるとともに前記散乱状態の割合を徐々に増加させるように変化させることを特徴とする請求項４に記載の表示装置。
【請求項６】
前記制御手段は、前記第１映像を前記スクリーンに投射させる情報及び前記第１映像の投射を停止させる情報に前記第１映像の光強度を変化させる情報を含ませることを特徴とする請求項１乃至５のうちいずれか一項に記載の表示装置。
【請求項７】
前記制御手段は、前記第１映像の光強度を徐々に増加させるとともに前記照明または前記第２映像の光強度を徐々に減少させ、前記第１映像の光強度を徐々に減少させるとともに前記照明または前記第２映像の光強度を徐々に増加させることを特徴とする請求項６に記載の表示装置。
【請求項８】
可視光に対し透過状態と散乱状態に切替え可能なスクリーンを前記透過状態と前記散乱状態に切り替える制御手段を有する表示装置の表示方法であって、
前記散乱状態において、前記スクリーンの裏面側の照明の光強度を減少させる情報及び当該散乱状態における任意の期間に第１映像を前記スクリーンに投射させる情報を出力し、前記透過状態において、前記第１映像の投射を停止させる情報及び当該透過状態における任意の期間に前記光強度を増加させる情報を出力する制御工程を含み、
前記制御工程は、１映像周期内で前記透過状態及び前記散乱状態に切替えることを特徴とする表示方法。
【請求項９】
可視光に対し透過状態と散乱状態に切替え可能なスクリーンを前記透過状態と前記散乱状態に切り替える制御手段を有する表示装置の表示方法であって、
前記散乱状態において、前記スクリーンの裏面側の第２映像の光強度を減少させる情報及び当該散乱状態における任意の期間に第１映像を前記スクリーンに投射させる情報を出力し、前記透過状態において、前記第１映像の投射を停止させる情報及び当該透過状態における任意の期間に前記光強度を増加させる情報を出力する制御工程を含み、
前記制御工程は、前記第１映像の１映像周期内で前記透過状態及び前記散乱状態に切替えることを特徴とする表示方法。
【請求項１０】
請求項８に記載の表示方法を、コンピュータにより実行させることを特徴とする表示プログラム。
【請求項１１】
請求項９に記載の表示方法を、コンピュータにより実行させることを特徴とする表示プログラム。
【請求項１２】
請求項１０に記載の表示プログラムを格納したことを特徴とするコンピュータ読み取り可能な記録媒体。
【請求項１３】
請求項１１に記載の表示プログラムを格納したことを特徴とするコンピュータ読み取り可能な記録媒体。
【国際調査報告】
2014109026.tif 000012
2014109026.tif 000013
2014109026.tif 000014
2014109026.tif 000015